(57)【要約】【課題】  表示シートを剥離する作業の手掛かりとして端を捲りやすいけれども、例えば他の物に触れたがためにそこが不用意に捲り上がるということはなく、安全に粘着状態を保持できる表示シートの粘着対象物を提供する。【解決手段】  表示シートを剥離可能に貼り付ける被粘着面を有する粘着対象物において、被粘着面を平面としてそれに対する縦面を近接連続して形成し、被粘着面に一端が縦面に開口する軸状器具通し用の凹欠部を設けるとともに、凹欠部を表示シートの端縁と交差する長さ方向の溝形に形成した。【効果】  表示シートを剥離する手掛かりとして端を捲りやすいために、旧の表示シートを剥がす作業性を格段に向上させることができ、凹欠部を設けてあっても、捲る端緒となる最小限の幅狭い溝であるので、例えば他の物に触れたがためにそこで不用意に捲り上がるということはなく、安全に粘着状態を保持でき、また、凹欠部で表示シートが見苦しく凹むという不都合もない。【選択図】    図１
2006036867.tif 000002
【特許請求の範囲】
【請求項１】
表示シートを剥離可能に貼り付ける被粘着面を有する粘着対象物において、被粘着面を平面としてそれに対する縦面を近接連続して形成し、被粘着面に一端が縦面に開口する軸状器具通し用の凹欠部を設けるとともに、凹欠部を表示シートの端縁と交差する長さ方向の溝形に形成したことを特徴とする表示シートの粘着対象物。
【請求項２】
凹欠部の溝形断面を円弧形の窪みに形成する一方、凹欠部の奥端に円弧形に上がる斜面を形成したことを特徴とする請求項１記載の表示シートの粘着対象物。
【請求項３】
粘着対象物が多数枚のチップトレーの束の上に重ねて全体とともにクリップで止められる矩形で、且つ、縦横各端縁近くに段差を設けることにより段差下がクリップの爪掛り面として形成された札板であって、段差上を表示シートの被粘着面として、凹欠部は、被粘着面の角の近傍において、且つ、溝開口をクリップの掛止爪に近接して対面させる位置において形成されていることを特徴とする請求項１又は２記載の表示シートの粘着対象物。
【発明の詳細な説明】
【技術分野】
【０００１】
この発明は、裏面に粘着剤が塗布されたラベル、レッテル、札紙等と称される表示シートの使用物品であって、表示シートを剥離可能に粘着させる面に工夫を凝らした表示シートの粘着対象物に関する。
【背景技術】
【０００２】
現在、各種物品には、識別、区分け、管理等の便宜のために所定事項を記載した表示シートが貼着されるが、事情により表示シートを取り替えてその粘着対象物を継続して使用されることが多い。例えば、後記実施形態において示すように、チップトレーの製造工程又は企業においては、製造したチップトレーの束にプラスチックの札板を重ねてクリップで止めるとともに、その札板の上面に表示シートを粘着した状態て納品される例である。
【０００３】
この場合、表示シートには、例えば、ＴＹＰＥ，ＬｏｔＮｏ．，ＣＨＩＰＳ，ＤＡＴＥ等の項目を設け、最終製品名若しくは納入先企業名等が表示されるが、納入先で製品が使用されて残った札板を回収して再度使用するとすれば、記載事項が変わるために札板に付いている旧の表示シートを剥がす必要があるけれども、これを剥がすために最初に端を捲ることには非常に困難を伴うので作業に無駄にも思える多大な労力を費やしていた。
【０００４】
表示シートが捲りやすいように粘着剤の粘着能力を弱める方法を採るとすれば、それには粘着の乏しい粘着剤を使用したり、被粘着面を粗面に形成したりする手段が考えられるが、こうすると運搬・保管等の作業中に不用意に剥がれる不都合があり得る。また、剥離の手掛かりとして表示シートの角部を予め捲って折り曲げてあっても、同じくように信頼が置けないという問題があった。
【発明の開示】
【発明が解決しようとする課題】
【０００５】
この発明は、上記のような実情に鑑みて、表示シートを剥離する作業の手掛かりとして端を捲りやすいけれども、例えば他の物に触れたがためにそこが不用意に捲り上がるということはなく、安全に粘着状態を保持できる表示シートの粘着対象物を提供することを課題とした。
【課題を解決するための手段】
【０００６】
上記の目的を達成するために、この発明は、表示シートを剥離可能に貼り付ける被粘着面を有する粘着対象物において、被粘着面を平面としてそれに対する縦面を近接連続して形成し、被粘着面に一端が縦面に開口する軸状器具通し用の凹欠部を設けるとともに、凹欠部を表示シートの端縁と交差する長さ方向の溝形に形成したことを特徴とする表示シートの粘着対象物を提供するものである。
【０００７】
表示シートの粘着対象物を上記のように構成したから、表示シートを被粘着面に端縁が凹欠部の溝長と交差するように張りつけておけば、縦面の溝開口から凹欠部に軸状器具を差し込みながら、溝に沿って奥深く表示シートを持ち上げるように操作すると、粘着力が強くてもその箇所の表示シートの角が溝長方向に捲り上がるので、そこを手掛かりとして全体を容易に剥がすことができる。特に、請求項２に記載のように、凹欠部を断面円弧形に形成すると捲りやすい。
【０００８】
凹欠部は幅狭い溝であるので、他の物に触れても溝で表示シートが不測に捲り上がることはなく、特に、請求項３のように溝開口をクリップの掛止爪で塞がれているようにすると、それが言わばセイフティガードとなるので、自然に剥がれる不都合を防止する上でさらに万全を期すことができる。
【発明の効果】
【０００９】
以上説明したように、この発明の表示シートの粘着対象物によれば、表示シートを剥離する手掛かりとして端を捲りやすいために、旧の表示シートを剥がす作業性を格段に向上させることができ、凹欠部を設けてあっても、捲る端緒となる最小限の幅狭い溝であるので、例えば他の物に触れたがためにそこで不用意に捲り上がるということはなく、安全に粘着状態を保持でき、また、凹欠部で表示シートが見苦しく凹むという不都合もないという優れた効果がある。
【発明を実施するための最良の形態】
【００１０】
次に、この発明の実施形態を図面に基づいて説明する。
【００１１】
図面は、プラスチックで成形されたチップトレーの束Ｒに一体に付けられる札板Ｐを粘着対象物としてそれに実施した一形態を示したもので、札板Ｐは、これもプラスチックで成形され、その際に表示シートＳが粘着される被粘着面１に、表示シートＳを捲り上げる手掛かりを得る凹欠部３が設けられる。
【００１２】
チップトレーの束Ｒは、多数のチップトレー５，５，・・を重ねて四角立方体であって、その上に札板Ｐが重ねられ、全体をプラスチックで成形された左右一対のクリップ７，７により止められている。札板Ｐとチップトレー５とは、上面に縁に沿った四角回りの段差８により広く凸部９を設け、下面に凸部９が嵌まる凹部１１が形成される。なお、クリップ７は、札板Ｐとともにチップトレー５，５，・・の束Ｒを挟むＵ字形であって、両側上端に掛止爪１６，１６を有する。
【００１３】
札板Ｐとチップトレー５との相違については、チップトレー５では、凸部の上面にＩＣチップが納まる多数のポケット１２，１２，・・が縦横に配列して設けられるが、札板Ｐでは、凸部９の上面が被粘着面１として平滑面であって、その被粘着面１の一端に凹欠部３が設けられるというような差異がある。したがって、全体が凸部９と凹部１１との嵌め合いにより安定して重ねられ、クリップ７，７で止められて１束Ｒとして納品される。また、いずれも段差８の下面を有するが、札板Ｐではその部分がクリップ７の掛止爪１６の爪掛り面１８となる。
【００１４】
凹欠部３は、その一端が凸部９の段差８の縦面１０に開口するように奥行きに長く溝形に形成されるので、横から軸状器具１３をこの凹欠部３の溝開口１４に差し込むことができ、溝に差し込んだ軸状器具１３で被粘着面１の端を捲り上げ、ここを手掛かりとして剥離することができる。そして、表示シートＳを剥離する端緒となるに適する部分は角部であるので、凹欠部３は凸部９、つまり被粘着面１の角に近い箇所に設けられる。
【００１５】
ちなみに、軸状器具１３を差し込むときには、クリップ７が外された単独のときであるが、それまでは、クリップ７の掛止爪１６が溝開口１４を塞いでいるので（図３）、そこにおいて他の物品が表示シートＳの端に触れることはない。また、凹欠部３の溝長方向は表示シートＳの端縁と直角に交差するように形成される（図２）。
【００１６】
直角ではなく仮に斜めの溝長に形成すると、軸状器具１３を差し入れて持ち上げた際に表示シートＳの縁が破れやすい。表示シートＳの縁と直角に交差する溝長に形成されていると（図２）、力が合理的に働くため軸状器具１３で無理なく表示シートＳを捲り上げることができる。また、凹欠部３の溝断面を円弧形に形成してあるので、軸状器具１３がその中央部に納まることから（図４）、表示シートＳに捲る力を無理が生じないよう左右均等に合理的に及ぼすことができる。
【００１７】
さらに、凹欠部３の溝形については、その奥端の内面も円弧形の上り斜面１５に形成した（図３）。こうしてあれば、軸状器具１３をずっと差し入れると、軸状器具１３が斜面１５で持ち上がるので、差し入れ操作だけでも捲る端緒を作りやすい。
【００１８】
以上はチップトレー５，５，・・の束Ｒに付けられる札板Ｐについて説明したが、被粘着面１の端に縦面１０を有する構造をとれば（必ずしも段差８による必要はない）、その他に、例えば、書類を綴じるバインダー、引き出し又はそれに付ける札板、磁気ディスクのケース等にも実施できる。
【図面の簡単な説明】
【００１９】
【図１】この発明の一実施形態による表示シートの粘着対象物を表示シートの未貼り状態で示す斜視図である。
【図２】表示シートを張り付けた状態で示す同表示シートの粘着対象物の平面図である。
【図３】図２にＡ−Ａ線矢視の拡大断面図である。
【図４】凹欠部に軸状器具を差し入れた状態を示す札板の一部拡大断面図である。
【符号の説明】
【００２０】
Ｐ  粘着対象物としての札板
Ｓ  表示シート
Ｒ  チップトレーの束
１  被粘着面
３  凹欠部
５  チップトレー
７  クリップ
８  段差
１０  
１３  軸状器具
１４  溝開口
１５  斜面
１６  掛止爪
１８  爪掛り面
【図１】
2006036867.tif 000003
【図２】
2006036867.tif 000004
【図３】
2006036867.tif 000005
【図４】
2006036867.tif 000006